(57)【特許請求の範囲】
【請求項１】
キーボードであって、
複数のキーと、
少なくとも一部は、電流によりアクティブ化されると、前記複数のキーの少なくとも一部を持ち上げる複数のキーアクチュエータと、を備え、
前記複数のキーアクチュエータは、それぞれ、アクティブ化されると、前記キーボードに関してｚ方向に変形する誘電体を含むドームサポートを有し、
前記ドームサポートは、前記複数のキーアクチュエータの前記一部がアクティブ化されないと、前記複数のキーアクチュエータを支持する支持層に対して平らである、
キーボード。
【請求項２】
前記複数のキーアクチュエータの前記一部は、前記複数のキーの前記一部に少なくとも１つの触感効果を提供する、請求項１に記載のキーボード。
【請求項３】
前記複数のキーの前記一部は、前記複数のキーアクチュエータの前記一部がアクティブ化されないと、ゼロのキー行程を有する、請求項１又は２に記載のキーボード。
【請求項４】
前記複数のキーのサブセットの上面は、前記複数のキーアクチュエータの前記一部がアクティブ化されないと、前記キーボードの表面と同じ高さである、請求項１から３のいずれか一項に記載のキーボード。
【請求項５】
前記複数のキーアクチュエータの前記一部は、はさみ形状のキーサポートを含む、請求項１から４のいずれか一項に記載のキーボード。
【請求項６】
ディスプレイ部分と、
複数のキー及び少なくとも一部は、電流によりアクティブ化されると、前記複数のキーの少なくとも一部を持ち上げる複数のキーアクチュエータとを含むキーボードと、
前記複数のキーアクチュエータをアクティブ化するドームサポートアクティブ化機構と、
を備え、前記ドームサポートアクティブ化機構は、前記ディスプレイ部分が前記キーボードから除去されると、前記複数のキーアクチュエータの前記一部を非アクティブ化する、電子デバイス。
【請求項７】
前記複数のキーのサブセットの上面は、前記電子デバイスが閉状態又はタブレット形状にあると、前記キーボードの表面と同じ高さである、請求項６に記載の電子デバイス。
【請求項８】
前記複数のキーアクチュエータの前記一部は、前記電子デバイスが開状態にあると、アクティブ化される、請求項６又は７に記載の電子デバイス。
【請求項９】
前記キーボードに前記ディスプレイ部分を結合するヒンジと、をさらに備える、請求項６から８のいずれか一項に記載の電子デバイス。
【請求項１０】
前記ドームサポートアクティブ化機構は、トグルスイッチを含む、請求項６から９のいずれか一項に記載の電子デバイス。
【請求項１１】
キーボード内の複数のキーに対応する複数のキーアクチュエータをアクティブ化する段階であり、前記複数のキーアクチュエータの少なくとも一部は、前記複数のキーアクチュエータの前記一部が電流によりアクティブ化されると、前記複数のキーの少なくとも一部を持ち上げる、段階と、
前記複数のキーアクチュエータの前記一部を非アクティブ化する段階であり、前記複数のキーアクチュエータの前記一部の前記非アクティブ化は、前記複数のキーの前記一部を低くさせる、段階と、を備え、
前記複数のキーアクチュエータの少なくとも幾つかは、アクティブ化されると、前記キーボードに関してｚ方向に変形する誘電体を有するそれぞれのドームサポートを含み、
複数の前記ドームサポートの少なくとも幾つかは、前記複数のキーアクチュエータの前記一部がアクティブ化されないと、前記複数のキーアクチュエータを支持する支持層に対して平らである、方法。
【請求項１２】
前記複数のキーアクチュエータの前記一部は、前記複数のキーの前記一部に少なくとも１つの触感効果を提供する、請求項１１に記載の方法。
【請求項１３】
前記複数のキーの前記一部は、前記複数のキーアクチュエータの前記一部がアクティブ化されないと、ゼロのキー行程を有する、請求項１１又は１２に記載の方法。
【請求項１４】
キーボード内の複数のキーに対応する複数のキーアクチュエータをアクティブ化する手段であり、前記複数のキーアクチュエータの少なくとも一部は、前記複数のキーアクチュエータの前記一部が電流によりアクティブ化されると、前記複数のキーの少なくとも一部を持ち上げる、手段と、
前記複数のキーアクチュエータの前記一部を非アクティブ化する手段であり、前記複数のキーアクチュエータの前記一部の前記非アクティブ化は、前記複数のキーの前記一部を低くさせる、手段と、を備え、
前記複数のキーアクチュエータの少なくとも幾つかは、アクティブ化されると、前記キーボードに関してｚ方向に変形して、前記複数のキーの前記一部を持ち上げる誘電体を有するそれぞれのドームサポートを含み、
複数の前記ドームサポートの少なくとも幾つかは、前記複数のキーアクチュエータの前記一部がアクティブ化されないと、前記複数のキーアクチュエータを支持する支持層に対して平らである、システム。
【請求項１５】
前記複数のキーアクチュエータの前記一部は、前記複数のキーの前記一部に少なくとも１つの触感効果を提供する、請求項１４に記載のシステム。
【請求項１６】
前記複数のキーアクチュエータは、誘電体又はポリマを含むそれぞれのドームサポートを有する、請求項１４又は１５に記載のシステム。
【請求項１７】
前記複数のキーのサブセットの上面は、前記複数のキーアクチュエータの前記一部がアクティブ化されないと、前記キーボードの表面と同じ高さである、請求項１４から１６のいずれか一項に記載のシステム。
【請求項１８】
前記システムはコンピューティングシステムである、請求項１４から１７のいずれか一項に記載のシステム。
【発明の詳細な説明】
【技術分野】
【０００１】
本明細書に記載の実施形態は、該して、電子デバイス用キーボードに関する。
【背景技術】
【０００２】
エンドユーザは、これまで以上に、電子デバイスの選択肢を有する。多くの重要な技術動向が現在起きており（例えば、複数の演算デバイス、より薄くてより軽いデバイス等）、これらの動向は電子デバイスの展望を変えている。技術動向の１つは、電子デバイスの容積及び重量を減少するために、非常に軽くて薄いキーボードに対して高まる需要である。仮想キーボード（又はガラス上でのタイピング）は、大抵、人間工学的にいらいらさせるものであり、通常、楽しいユーザ体験を提供するものではない。コンバーチブルラップトップおよび周辺キーボード用のキーボードは、大抵、場所から場所に運ぶには厚くて扱い難い。従来のキーの高さが薄いキーボードを提供するめに下げられるため、キー行程（キーの移動距離）が問題になり、また薄いキーボードはたいてい容認可能なユーザ体験を提供することができない。現在、キーボード設計は、大抵、関連する電子デバイスの総合的な消費者体験を妨げるとともに、ユーザの柔軟性を抑える。従って、伝統的なキーボードのタイピング体験を提供することのできる薄くて軽量のキーボードを提供することに挑戦がある。
【図面の簡単な説明】
【０００３】
添付の図面の図において、実施形態は、例として示され、限定として示されるのではない。同じ参照は同様の要素を示す。
【図１Ａ】本開示の一実施形態に従うオープンクラムシェル形状における電子デバイスの実施形態を示す簡略正投影図である。
【図１Ｂ】本開示の一実施形態に従うオープンクラムシェル形状における電子デバイスの側面図を示す簡略概略図である。
【図１Ｃ】本開示の一実施形態に従うクローズドクラムシェル形状における電子デバイスの実施形態を示す簡略正投影図である。
【図１Ｄ】本開示の一実施形態に従うクローズドクラムシェル形状における電子デバイスの側面図を示す簡略概略図である。
【図２】本開示の一実施形態に従う電子デバイスのキーボードの実施形態を示す簡略分解図である。
【図３Ａ】本開示の一実施形態に従う電子デバイスのキーボードの一部の実施形態を示す簡略正投影図である。
【図３Ｂ】本開示の一実施形態に従う電子デバイスのキーボードの一部の実施形態を示す簡略正投影図である。
【図４Ａ】本開示の一実施形態に従うキーボードのキーの側面図を示す簡略概略図である。
【図４Ｂ】本開示の一実施形態に従うキーボードのキーの側面図を示す簡略概略図である。
【図４Ｃ】本開示の一実施形態に従うキーボードのキーの側面図を示す簡略概略図である。
【図４Ｄ】本開示の一実施形態に従うキーボードのキーの側面図を示す簡略概略図である。
【図５Ａ】本開示の一実施形態に従うオープンクラムシェル形状における電子デバイスの側面図を示す簡略概略図である。
【図５Ｂ】本開示の一実施形態に従うクローズドクラムシェル形状又はタブレット形状における電子デバイスの側面図を示す簡略概略図である。
【図５Ｃ】本開示の一実施形態に従うオープンクラムシェル形状における電子デバイスの側面図を示す簡略概略図である。
【図６】本開示の一実施形態に従うオープンクラムシェル形状における電子デバイスの側面図を示す簡略概略図である。
【図７】本開示の例示的なＡＲＭエコシステムシステムオンチップ（ＳＯＣ）に関連する簡略ブロック図である。
【図８】本開示に関連する機能を実行するために使用され得る論理の例を示す簡略ブロック図である。図面の図は、必ずしも、スケールどおりに描かれてはいないので、それらの大きさは、本開示の範囲から逸脱することなく、相当に変えることができる。
【発明を実施するための形態】
【０００４】
［概要］  本明細書に記載の特定の実施形態は、複数のキーと、それぞれのドームサポートを有する複数のキーアクチュエータと、を含むキーボードを提供する。キーアクチュエータの少なくとも一部は、複数のキーアクチュエータの一部がアクティブ化されると、複数のキーの少なくとも一部を持ち上げる。より特定の実施形態では、ドームサポート（ドーム形状のサポート）は、アクティブ化されるとキーボードに関してｚ方向に変形して複数のキーの一部を持ち上げる誘電体を備える。
【０００５】
さらに他の実施形態では、ドームサポートは、複数のキーアクチュエータの一部がアクティブ化されないと、実質的に平らである。加えて、複数のキーアクチュエータの一部は、複数のキーの一部に少なくとも１つの触感効果を提供する。他の実施例では、複数のキーの一部は、複数のキーアクチュエータの一部がアクティブ化されないと、実質的にゼロのキー行程を有する。複数のキーのサブセットは、複数のキーアクチュエータの一部がアクティブ化されないと、キーボードの表面と実質的に同じ高さになることができる。特定のケースでは、複数のキーアクチュエータの一部は、はさみ形状のキーサポートを含む。
【０００６】
［例示的な実施形態］  以下の詳細な説明は、電子デバイスに対して取り外し可能なユニット構成に関する装置、方法、およびシステムの例示的な実施形態を明らかにする。例えば、構成、機能、及び／又は特性のような特徴は、便宜上、一実施形態を参照して記載される。種々の実施形態は、すべての適当な１又は複数の記載された特徴により実装されてよい。
【０００７】
図１Ａは、一実施形態に従うオープンクラムシェル形状（開いた二つ折り形状）における電子デバイス１０の実施形態を示す簡略正投影図である。電子デバイス１０は、ディスプレイ部分１２、キーボード部分１４、およびヒンジ３６を含んでよい。ヒンジ３６は、ディスプレイ部分１２とキーボード部分１４との間で共有される回転軸を画定することができる。ヒンジ３６は、ディスプレイ部分１２とキーボード部分１４との間の電気接続を提供するコネクタ及び機械的保持具を含むことができる。実施形態では、プリント回路基板（ＰＣＢ）のインターコネクタは、ディスプレイ部分１２とキーボード部分１４とを電気的に接続するために使用される。ディスプレイ部分１２は、ディスプレイ１６を含むことができる。キーボード部分１４は、キーボード１８を含むことができる。
【０００８】
１又は複数の実施形態では、電子デバイス１０は、ノートブックコンピュータ又はラップトップコンピュータである。さらに他の実施形態では、電子デバイス１０は、携帯機器、タブレットコンピュータ、及び／又はタブレットデバイス（例えば、ｉ−ＰａｄＴＭ、Ｍｉｃｒｏｓｏｆｔ  ＳｕｒｆａｃｅＴＭ、Ｇｏｏｇｌｅ  ＮｅｘｕｓＴＭ等）、ファブレット、携帯情報端末（ＰＤＡ）、スマートフォン、オーディオシステム、あらゆるタイプの動画プレーヤ、コンピュータドッキングステーション等のようなディスプレイを有するあらゆる適当な電子デバイスであってよい。ディスプレイ１６は、液晶ディスプレイ（ＬＣＤ）ディスプレイ画面、発光ダイオード（ＬＥＤ）ディスプレイ画面、有機発光ダイオード（ＯＬＥＤ）ディスプレイ画面、プラズマディスプレイ画面、あらゆる他の適当なディスプレイ画面システムとすることができる。実施形態では、電子デバイス１０は、カメラ、マイクロフォン、及びスピーカを含んでよい。
【０００９】
図１Ａに示す特定の実施形態では、電子デバイス１０は、キーボード部分１４と取り外し可能であり且つ再取り付け可能なディスプレイ部分１２とを含む、比較的薄く、なめらかなクラムシェル形状（二つ折り形状）のコンピュータである。ヒンジ３６は、ディスプレイ部分１２をキーボード部分１４に２つの異なる向きで取り付け可能にする。２つの異なる向きとは、ディスプレイ１６が内側を向く向き（オープンクラムシェル形状及びクローズドクラムシェル形状）及びディスプレイ１６が外側を向く向き（タブレット形状及び動画モード形状）である。実施形態では、ディスプレイ部分１２はスタンドアローンタブレットとして構成することができる。
【００１０】
図１Ｂに移り、図１Ｂは、本開示の一実施形態に従うオープンクラムシェル形状における電子デバイス１０に実施形態を示す側面図である。電子デバイス１０は、ディスプレイ部分１２及びキーボード部分１４を含んでよい。キーボード部分１４は、複数のキー２０、複数のキーアクチュエータ２２、及び支持層２４を含んでよい。説明のため、複数のキー２０の中から１つのキーをキー２０ａとして参照している。各キー（例えばキー２０ａ）は、複数のキーアクチュエータ２２の中から対応するキーアクチュエータを有してよい。複数のキーアクチュエータ２２がアクティブ化されると、（例えば、図１Ｂに示すオープンクラムシェル形状において）それらは複数のキー２０を持ち上げる。支持層２４は、複数のキーアクチュエータ２２に対してベース及びサポートを提供する。
【００１１】
図１Ｃに移り、図１Ｃは、本開示の一実施形態に従う電子デバイス１０の実施形態を示す簡略正投影図である。図１Ｃに示すように、電子デバイスは、クローズドクラムシェル形状（閉じた二つ折り形状）にある。図１Ｄに移り、図１Ｄは、本開示の一実施形態に従うクローズドクラムシェル形状における電子デバイス１０の実施形態を示す側面図である。複数のキーアクチュエータ２２がアクティブ化されないと、それらは複数のキー２０を持ち上げず、従って、薄いキーボード構造を提供する。例えば、電子デバイス１０がクローズドクラムシェル形状にあると、複数のキーアクチュエータ２２はアクティブ化されない（図１Ｄに示すように）。電子デバイス１０がクローズドクラムシェル形状にあるときの複数のキー２０の高さは、電子デバイス１０がオープンクラムシェル形状にあり、複数のキーアクチュエータ２２が（図１Ｂに示すように）アクティブ化されたときの複数のキー２０の高さより低い。
【００１２】
一般論として、複数のキーアクチュエータ２２は、それぞれ、アクティブ化されるとｚ方向に変形して複数のキー２０を持ち上げるドームサポート（例えば、ポリマ、誘電体、又は他の材料）を含むことができる。複数のキーアクチュエータ２２の各キーアクチュエータは、現在のラバードームソリューションのそれと同様のユーザ体験を提供する十分なブロッキング力を有することができるし、また、ユーザ体験を高めるために、任意に、触感効果（例えば、ユーザに力、バイブレイション、又は動き）を提供してもよい。複数のキーアクチュエータ２２が非アクティブ化されると（例えば、ラップトップのふたが閉じられると）、複数のキーアクチュエータ２２は支持層２４上で平らに（又は比較的平らに）なることができ、ゆえにゼロのキー行程及び薄いキーボード設計を提供する。
【００１３】
電子デバイス１０の幾つかの例示の特徴を説明するために、次の基本的な情報を本開示が適切に説明され得る基礎として見てもよい。容積及び重量を減少して、良いタッチタイピング体験を届ける非常に軽くて薄いキーボードに対して高まる需要がある。しかし、伝統的に、薄いキーボード構成は、容認されるユーザ体験を提供できない。ガラス（又は他の材料）上でのタイピングを要する仮想キーボードは、大抵、人間工学的に不快である。さらに、周辺キーボード（例えば、ブルートゥースキーボード）は、大抵、場所から場所に運ぶのに厚くて扱い難い。現在、キーボード設計は、大抵、ユーザの柔軟性を抑え、加えて、関連する電子デバイスの全体的な消費者体験を妨げる。問題を解決する試みは、キーボードのｚ高さを減少せず、まだ許容できるキー行程を提供している。加えて、現在の薄いキーボード構成は、一般的には、物理キーボードに対する個々のキーの触感効果は有していない。１つの現在のソリューションは、折り畳み可能なラバードームとともにはさみ機構を使うことである。このアプローチのキー障害は、ゼロ（又は非常に低い）キー行程を可能にできない折り畳み可能なラバードームのｚ高さの限界である。他のソリューションは、ｚ次元におけるキー行程をさらに模擬するｙ次元におけるキー行程を使う「ランプとマグネット」アプローチを利用する。しかし、このアプローチは不自然なキー行程を生じることができる。加えて、触感効果は提供される。
【００１４】
本明細書に記載の特定の実施形態は、複数の電子コンポーネント（あらゆるタイプのコンポーネント、素子、回路等を含む）と連結する回路ボードを含むノートブックコンピュータ、ラップトップ、セルフォン、又は他の携帯機器のような電子デバイスを提供する。電子デバイスは、キーボードを含むことができる。ここで、伝統的なキーボードの折り畳み可能なラバードーム機構は、アクティブ化（例えば電流を用いて充電）されるとｚ方向に変形し、現在のラバードームソリューションのそれと同様のユーザ体験を提供する十分なブロッキング力を有するドームサポート（例えば、ポリマ、誘電体、又は他の材料）に置き換えられる。ドームサポートは、複数のキーアクチュエータの一部であってよく、押圧されると触感効果（例えば、ユーザに力、バイブレイション、又は動き）を提供することができる、又は他の例ではユーザの体験を高めることができる。実施形態では、電子デバイスはクラムシェル（二つ折り型）コンピュータでよい。電子デバイスがクローズドクラムシェル形状にあるとき、ドームサポートはアクティブ化されず、支持層に対して平らになることができる。これは、電子デバイスがクローズドクラムシェル形状にあるとき、フルキー行程の高さである現在のソリューションと対照的に、ゼロ、およそゼロ、又は非常に低いキー行程を可能とする。これは、電子デバイス１０に、薄いキーボード設計を提供しながら、より伝統的なコンピュータキーボード体験を再現するユーザ体験を提供することを可能にすることができる。ただし、キー行程は、一般的なコンピュータキーボードのように感じるかもしれない。従って、設計は、キー行程を損なうことなく、薄いキーボード設計を可能にすることができる。
【００１５】
特定の実施形態では、電子デバイス１０は、光学式タッチタイピング体験を提供する１８．５ｍｍピッチのフルサイズキーボードを含むことができる。さらに、タッチタイピング体験を改善するために、タッチタイプにおいて容易にキーを区別できるように、十分なキーの間の間隔を設けることができる。オペレーションでは、電子デバイス１０がクローズドクラムシェル形状にあるとき、キーボード部分はディスプレイをプロテクトすることができ、複数のキーアクチュエータはアクティブ化されなくてよく、キーはゼロ、およそゼロ、又は薄型を可能とする非常に小さい行程を有してよい。ディスプレイ部分が反転してオープンクラムシェル形状になると、キーボードは伝統的なキーボードとして動作することができる。ただし、複数のキーアクチュエータはアクティブ化され、キーは（ドームサポートを用いて）持ち上げられて伝統的なキーボードとして機能することができる。ディスプレイ部分が逆さまに反転してキーボードから外側を向くと、電子デバイス１０はタブレット形状において動作することができる。実施形態では、タブレット形状にある間、キーボード部分は包み込まれる、又はディスプレイの裏に、ユーザとの対話の邪魔にならないように格納される。複数のキーアクチュエータはアクティブ化されず、キーは薄型を可能とするためにゼロ、およそゼロ、又は非常に小さい行程を有してよい。タブレット形状では、ディスプレイはまだ反転されてこの形状にあることができ、キーボード部分はスタンドとして動作することができ（ディスプレイの後ろで）、電子デバイス１０は動画モード形状にあることができる。この構成において、ユーザの好みに応じて、複数のキーアクチュエータはアクティブ化されず、キーは薄型を可能とするゼロ、およそゼロ、又は非常に小さい行程を有してよく、又は複数のキーアクチュエータはアクティブ化され、キーは持ち上げられて伝統的なキーボードとして機能することができる。ディスプレイ部分はキーボード部分から取り外され、ディスプレイ部分はそれ自身がタブレットとして機能することができる。格納又は収容のためにキーボード部分の薄型を可能にするため、複数のキーアクチュエータはアクティブ化されず、キーはゼロ、およそゼロ、又は非常に小さい行程を有してよい。
【００１６】
キーボードは、目に見えるファスナを排除するためにインサート及び／又はコモルディング方法を使うユニボディ成形部を反映するキーボード本体を含むことができる。加えて、キーボード本体は、さらに、スクープ幾何学の外部に剛性を提供するインサート成形バンド機能を含んでもよいし、同様に、ディスプレイ部分がキーボード部分に関して回転しないようにする回転負荷を伝達してもよい。
【００１７】
実際のキー（複数のキー）に対して、特定の非限定的実施形態において、キーは０．５ｍｍ行程距離又は伝統的なキーボード感触を可能とする幾つかの他の行程距離で構成することができる。加えて、触感効果は、力、バイブレイション、又はユーザへの動きを適用することによりユーザに対して体験を高めるために使うことができる。例えば、伝統的なキーボードのタイピング体験を模擬するために、触覚フィードバックを提供することができる（例えば、７０グラムのクリフドロップ力の撓み感触）。特定の実装では、キーボードの表面上に、小さなデッドスペースがある（又はない）。キーボード上のキーの種々のタイプがあることもある。例えば、キーボードは、ピボットキー（例えば、チルド、タブ、キャップスロック、シフト、レフトコントロール、バックスペース、バックスラッシュ、エンター、シフト等）、矢印キーのようなロッキングキー、及びファンクションキー及び他のキーのような実質的に垂直行程キーを含むことができる。
【００１８】
特定の実施形態では、キーボード部分は極薄く（例えば、３．３０ｍｍ）、超軽量（例えば、２７５グラム）であり、タブレットデバイスカバーとして機能するのに十分なキーボードバンド剛性と強度を有する。キーボード部分は、キーデザイン形状及び材料のバリエーションを使って、典型的なコンピュータキーボードの感触でタッチタイピングユーザ体験を再現する積層体から作製することができる。キーボードデバイスのより薄い側面積を考慮するために、キーボードエッジキーは一側に回転してよい。キーは、例えば、斜めに移動できない４つのキーを結合する矢印キー操作を用いるトグル操作キーのような任意の適当なタイプであってもよい。
【００１９】
操作において、キーボード内の複数のキーの間のスペースは、タッチタイパーが自分の指を用いてキーを容易に区別することを可能とする。エッジキーは、より薄い側面のために特別に設計することができる。エッジキー構成は、キーボード部分のより薄い側面を収容するために、キーをキーボードのエッジの上に掛けることを可能とする。
【００２０】
キーボードは、キーの降下を確立するキープレスを提供することもできる。特定の実装では、複数のキーアクチュエータがアクティブ化されると、複数のキーはキープレスを起こすことができる上向きにバイアスされる。実際のキーボードの組み立てに対して、積層体は、射出成形金型とともに採用してよい。ただし、金属は、プラスチックに組み込まれる。フレキシブルプリント回路基板（ＦＰＣ）を、本開示の特定の実施形態において使用することもできる。接続をバンドに形成することができ、限られたバックアップ電源を提供するために小さいバッテリーを任意にキーボード部分に挿入してよい。キーボード部分は、あらゆる適当な容積、サイズ、及び形を含むことができる。これらのすべては、本開示によって包含される。
【００２１】
なお、あらゆる数のコネクタ（例えば、ユニバーサルシリアルバス（ＵＳＢ）コネクタ（例えば、ＵＳＢ３．０仕様に準拠）、ＴｈｕｎｄｅｒｂｏｌｔＴＭコネクタ、ＷｉＦｉコネクタ、ドッキングコネクタのような規格外接続ポイント等）及び複数のアンテナは、電子デバイス１０と結合して提供することができる。（ＴｈｕｎｄｅｒｂｏｌｔＴＭ及びＴｈｕｎｄｅｒｂｏｌｔのロゴは、米国及び／又は他国におけるインテル社の商標である。）アンテナは、電流を電波に変換できる電子コンポーネントを反映する。特定の例では、アンテナは、ＷｉＦｉ機能、ワイヤレス接続、より一般的にはスモールセル配置、ブルートゥース、８０２．１１等に関連付けることができる。
【００２２】
少なくとも１つの例示的な実施形態では、電子デバイス１０のマザーボードは、電子デバイス１０の内部電子システムの種々のコンポーネントを有することのできる一般的な回路基板である。コンポーネントは、中央処理装置（ＣＰＵ）、メモリ等を含んでよい。マザーボードは、電子デバイス１０のユーザにより使用を求められる他の周辺装置を収容するために、１又は複数のコネクタに結合することもできる。すなわち、マザーボードは、それによりシステムの他のコンポーネントが通信できる電気接続を提供することができる。
【００２３】
あらゆるプロセッサ（デジタル信号プロセッサ、マイクロプロセッサ、サポーティングチップセット等を含む）、メモリ素子等は、特定の構成のニーズ、処理要求、コンピュータ設計等に基づいてマザーボードに適切に連結することができる。外部ストレージ、ビデオディスプレイのコントローラ、サウンド、及び周辺デバイスのような他のコンポーネントは、プラグインカードとしてケーブルを介してマザーボードに取付けてよい、又はマザーボード自体に組み込んでもよい。
【００２４】
なお、本開示の特定の実施形態は、システムオンチップ（ＳＯＣ）中央処理装置（ＣＰＵ）パッケージを容易に含んでよい。ＳＯＣは、コンピュータのコンポーネント又は他の電子システムを単一チップに組み込んだ集積回路（ＩＣ）を表す。ＳＯＣは、デジタル、アナログ、混合信号、及び多くの場合に無線周波数機能を含んでよい。これらのすべては、単一のチップ基板上に設けてよい。
【００２５】
図２に移り、図２は、電子デバイス１０のキーボード１８の正投影図を示す簡略分解図である。この特定の実施形態では、キーボード１８は、トップウェブ２６、複数のキー２０、支持層２４、及びベース層２８を含む。支持層２４は、複数のアクチュエータ２２を含むことができる。複数のアクチュエータ２２のうちの各アクチュエータは、はさみ形状のキーサポート３２及びドームサポート３４を含むことができる。図２に示すように、ドームサポート３４はアクティブ化されず、支持層２４に対して平らである。アクティブ化されると、各ドームサポート３４は持ち上がり、複数のキー２０のうちのそれぞれに対応するキーを引き上げることができる。はさみ形状のキーサポート３２は、押圧されると、キー２０ａを補助ガイドし、サポートを提供し、安定性又は剛性をキー２０ａに加え、またタイピングの際に自然な感触を可能にすることができる。
【００２６】
図３Ａは、電子デバイス１０がオープンクラムシェル形状又は実施形態の動画モード形状にある時のキーボード１８の正投影図を示す簡略正投影図である。ただし、複数のキー２０は、キーボード１８の表面３０より上に持ち上げられる。複数のキー２０のうちの各キー（例えば、キー２０ａ）は、各キーを表面３０より上に引き上げる又は持ち上げる複数のキーアクチュエータ２２から対応するキーアクチュエータにより支持することができる。例えば、電流を用いて充電されると、ドームサポート３４はｚ方向に変形して、キー２０ａを表面３０より上に持ち上げてよい。
【００２７】
図３Ｂは、電子デバイス１０がクローズドクラムシェル形状、タブレット形状、又は実施形態の動画モード形状にある時のキーボード１８の正投影図を示す簡略正投影図である。図３Ｂに示すように、複数のキー２０は、キーボード１８の比較的平ら又は表面３０と比較的同じ高さである。複数のキーアクチュエータ２２のうちの各キーアクチュエータはアクティブ化されず、支持層２４に対して比較的平らである。
【００２８】
図４Ａは、電子デバイス１０がクローズドクラムシェル形状、タブレット形状、又は実施形態の動画モード形状にある時のキー２０の側面図である。図４Ａに示すように、キー２０の上面４４は、平ら又はキーボード１８の表面３０と同じ高さである。ドームサポート３４は、アクティブ化されず（例えば、電流による充電）、比較的平ら又は支持層２４と同じ高さである。
【００２９】
図４Ｂは、電子デバイス１０がクローズドクラムシェル形状、タブレット形状、又は実施形態の動画モード形状にある時の複数のキー２０からキー２０ａの側面図である。図４Ｂに示すように、キー２０は、キー２０ａの外観又は自然な感触を高めるために、斜め又は湾曲したプロファイルを有してよい。この実施形態では、キー２０ａの一部は、キーボード１８の表面３０より上にある。ドームサポート３４は、アクティブ化されず（例えば、電流による充電）、比較的平ら又は支持層２４と同じ高さである。
【００３０】
図４Ｃは、電子デバイス１０がクローズドクラムシェル形状、タブレット形状、又は実施形態の動画モード形状にある時の複数のキー２０からキー２０ａの側面図である。図４Ｃに示すように、キー２０は、キー２０ａの外観又は自然な感触を高めるために、斜め又は湾曲したプロファイルを有してよい。この実施形態では、キー２０ａの上面４４は、平ら又はキーボード１８の表面３０と同じ高さにある。
【００３１】
図４Ｃは、オープンクラムシェル形状又は実施形態の動画モード形状におけるキー２０ａの側面図である。ただし、複数のキー２０は表面３０から持ち上げられている。図４Ｄに示すように、ドームサポート３４は、アクティブ化（例えば、電流を用いて充電）されている。アクティブ化された結果、ドームサポート３４は、表面３０の上にキー２０ａを持ち上げて、ｚ方向に変形している。はさみ形状のキーサポート３２は、押圧されると、キー２０ａを補助ガイドし、サポートを提供し、安定性又は剛性をキー２０ａに加え、またタイピングの際に自然な感触を可能にすることができる。
【００３２】
図５Ａに移り、図５Ａは、本開示の一実施形態に従うオープンクラムシェル形状における電子デバイス１０の実施形態を示す側面図である。電子デバイス１０は、ディスプレイ部分１２及びキーボード部分１４を含んでよい。キーボード部分１４は、キーボード１８及びドームサポートアクティブ化機構３８を含んでよい。ドームサポートアクティブ化機構３８は、ヒンジ３６がドームサポートアクティブ化機構３８から除去されると複数のキーアクチュエータ２２をアクティブ化し、複数のキー２０をキーボード１８の表面３０の上に持ち上げるよう構成することができる。例えば、図５Ａに示すように、ドームサポートアクティブ化機構３８はアクティブ化され、それにより、ドームサポート３４をアクティブ化し、キーボード１８の表面３０の上に複数のキー２０を持ち上げる。
【００３３】
図５Ｂに移り、図５Ｂは、本開示の一実施形態に従う電子デバイス１０の実施形態を示す簡略正投影図である。図５Ｂに示すように、電子デバイス１０は、クローズドクラムシェル形状（ディスプレイ１６（不図示）は内側を向いている）又はタブレット形状（ディスプレイ１６（不図示）は外側を向いている）にある。ドームサポートアクティブ化機構３８は、ヒンジ３６がドームサポートアクティブ化機構３８に接しているので、アクティブ化されず、複数のキー２０は平ら又はキーボード１８の表面３０と同じ高さにある。
【００３４】
図５Ｃに移り、図５Ｃは、本開示の一実施形態に従う電子デバイス１０の実施形態を示す簡略正投影図である。図５Ｂに示すように、電子デバイス１０は動画モード形状にある。ドームサポートアクティブ化機構３８は、ユーザがアクティブ化及び非アクティブ化することのできるトグルスイッチとすることができる。図５Ｃに示すように、ドームサポートアクティブ化機構３８はアクティブ化されず、複数のキー２０は平ら又はキーボード１８の表面３０と同じ高さにある。もし、ユーザがドームサポートアクティブ化機構３８をアクティブ化すると、複数のキーアクチュエータ２２がアクティブ化し、ドームサポート３４はｚ方向に変形して、複数のキー２０のうちの各キー（例えば、キー２０ａ）を表面３０の上に持ち上げる。
【００３５】
図６に移り、図６は、本開示の一実施形態に従う分離形状（ただし、ディスプレイ部分１２がキーボード部分１４から分離される）にある電子デバイス１０の実施形態を示す側面図である。ヒンジ３６は、キーボード相互接続４０を含んでよい。ディスプレイ部分１２は、ディスプレイ相互接続４２を含んでよい。キーボード相互接続４０は、ＰＣＢ相互コネクタでよい。
【００３６】
ディスプレイ部分１２がキーボード部分１４に接続されると、電流と信号がキーボード相互接続４０とディスプレイ相互接続４２との間に通り、オンボードバッテリ又は蓄電器、電力、任意の数のアイテム（例えば、ディスプレイ１６、無線モジュールのような無線通信回路、カメラ、スピーカ等）を再充電し、ディスプレイ部分１２とキーボード部分１４との間の通信パスを提供する。他の例において、電流と信号はプラグインコネクタ（例えば、ディスプレイ部分１２に接続する雄側突出部とキーボード部分１４に接続する雌側突出部、又はその逆）又はワイヤレスコネクタ（例えば、ＷｉＦｉ，ブルートゥース、ワイヤレスディスプレイ（ＷｉＤｉ）等）を介して通ることができる。なお、任意の数のコネクタ（例えば、ユニバーサルシリアルバス（ＵＳＢ）コネクタ（例えば、２００８年１１月にリリースされたＵＳＢ３．０仕様に準拠））、ＴｈｕｎｄｅｒｂｏｌｔＴＭコネクタ、ドッキングコネクタのような規格外接続ポイント等）は、電子デバイス１０と結合して提供することができる。（ＴｈｕｎｄｅｒｂｏｌｔＴＭ及びＴｈｕｎｄｅｒｂｏｌｔのロゴは、米国及び／又は他国におけるインテル社の商標である。）実質的にあらゆる他の電気接続方法を使うことができ、それゆえ、明らかに本開示の範囲内である。電子デバイス１０が分離形状にあると、信号は複数のキーアクチュエータ２２を非アクティブ化するために送信されてよい、複数のキー２０は平ら又はキーボード１８の表面３０と同じ高さにある。
【００３７】
図７は、本開示の例示的なＡＲＭエコシステムＳＯＣ７００に関連する簡略ブロック図である。本開示の少なくとも１つの例示的な実装は、本明細書に開示するキーボード設計機能及びＡＲＭコンポーネントを含むことができる。例えば、図７の例は任意のＡＲＭコア（例えば、Ａ−９，Ａ−１５等）に関連付けることができる。さらに、アーキテクチャは、あらゆるタイプのタブレット、スマートフォン（ＡｎｄｒｏｉｄＴＭフォン、ｉ−ＰｈｏｎｅＴＭ）、ｉ−ＰａｄＴＭ、Ｇｏｏｇｌｅ  ＮｅｘｕｓＴＭ、Ｍｉｃｒｏｓｏｆｔ  ＳｕｒｆａｃｅＴＭ、パーソナルコンピュータ、サーバ、ビデオプロセッシングコンポーネント、ラップトップコンピュータ（あらゆるタイプのノートブックを含む）、ＵｌｔｒａｂｏｏｋＴＭシステム、あらゆるタイプのタッチイネーブル入力デバイス等の一部であってよい。
【００３８】
図７のこの例では、ＡＲＭエコシステムＳＯＣ７００は、複数のコア７０６−７０７、Ｌ２キャッシュコントロール７０８、バスインターフェースユニット７０９、Ｌ２キャッシュ７１０、グラフィックプロセッシングユニット（ＧＰＵ）７１５、相互接続７０２、ビデオコーデック７２０、及び液晶ディスプレイ（ＬＣＤ）Ｉ／Ｆ７２５を含んでよい。ＬＤＣは、これと結合されるモバイル産業プロセッサインターフェース（ＭＩＰＩ）／高精細度マルチメディアインターフェース（ＨＤＭＩ（登録商標））リンクに関連付けてよい。
【００３９】
ＡＲＭエコシステムＳＯＣ７００は、加入者識別モジュール（ＳＩＭ）Ｉ／Ｆ７３０、ブートリードオンリメモリ（ＲＯＭ）７３５、シンクロナス・ダイナミック・ランダム・アクセス・メモリ（ＳＤＲＡＭ）コントローラ７４０、フラッシュコントローラ７４５、シリアル・ペリフェラル・インターフェース（ＳＰＩ）マスタ７５０、適当な電源コントロール７５５、ダイナミックＲＡＭ（ＤＲＡＭ）７６０、フラッシュ７６５を含んでもよい。加えて、１又は複数の例示的な実施形態は、１又は複数の通信性能、インターフェース、及びブルートゥースＴＭ７７０、３Ｇモデム７７５、グローバルポジショニングシステム（ＧＰＳ）７８０、及び８０２．１１ＷｉＦｉ７８５の例のような機能を含む。
【００４０】
オペレーションでは、図７の例は、種々のタイプのコンピュータ処理（例えば、モバイルコンピューティング、ハイエンドデジタルホーム、サーバ、ワイヤレスインフラストラクチュア等）を可能にする比較的低い電力消費とともに、プロセッシング性能を提供できる。加えて、そのようなアーキテクチャは、あらゆる数のソフトウェアアプリケーション（例えば、ＡｎｄｒｏｉｄＴＭ、Ａｄｏｂｅ(r)  Ｆｌａｓｈ(r)  Ｐｌａｙｅｒ、Ｊａｖａ（登録商標）  Ｐｌａｔｆｏｒｍ  Ｓｔａｎｄａｒｄ  Ｅｄｉｔｉｏｎ（Ｊａｖａ（登録商標）  ＳＥ）、ＪａｖａＦＸ、Ｌｉｎｕｘ（登録商標）、Ｍｉｃｒｏｓｏｆｔ  Ｗｉｎｄｏｗｓ（登録商標）  Ｅｍｂｅｄｄｅｄ、Ｓｙｍｂｉａｎ  ａｎｄ  Ｕｂｕｎｔｕ等）を可能にすることができる。少なくとも１つの例示的な実施形態では、コアプロセッサは、連結された低レイテンシ・レベル２キャッシュを用いて、アウトオブオーダ・スーパースケール・パイプラインを実行してもよい。
【００４１】
図８は、本明細書で議論したキーボード設計機能のいずれかと関連付けられる潜在的な電子機器と論理を示す簡略ブロック図である。少なくとも１つの例示的な実施形態では、システム８００は、タッチコントローラ８０２、１又は複数のプロセッサ８０４、少なくとも１つのプロセッサ８０４に連結したシステム制御論理８０６、システム制御論理８０６に連結したシステムメモリ８０８、システム制御論理８０６と連結した不揮発性メモリ及び／又はストレージデバイス８３２、システム制御論理８３２及びディスプレイ装置８１０と連結したディスプレイコントローラ８１２、システム制御論理８０６と連結した電力管理コントローラ８１８、及び／又はシステム制御論理８０６と連結した通信インターフェース８１６を含むことができる。
【００４２】
システム制御論理８０６は、少なくとも一実施形態において、あらゆる適当なインターフェースを少なくとも１つのプロセッサ８０４及び／又はシステム制御論理８０６との通信におけるあらゆる適当なデバイス又はコンポーネントに提供するために、あらゆる適当なインターフェースコントローラを含むことができる。システム制御論理８０６は、少なくとも１つの例示的な実施形態において、システムメモリ８０８とのインターフェースを提供する１又は複数のメモリコントローラを含むことができる。システムメモリ８０８は、データ及び／又は例えばシステム８００に対する命令をロード及びストアするために使用してよい。システムメモリ８０８は、少なくとも１つの例示的な実施形態において、例えば適当なダイナミック・ランダム・アクセス・メモリ（ＤＲＡＭ）のようなあらゆる適当な揮発性メモリを含むことができる。システム制御論理８０６は、少なくとも１つの例示的な実施形態において、インターフェースをディスプレイ装置８１０、タッチコントローラ８０２、及び不揮発性メモリ及び／又はストレージデバイス８３２に提供するために、１又は複数のＩ／Ｏコントローラを含むことができる。
【００４３】
不揮発性メモリ及び／又はストレージデバイス８３２は、例えばソフトウェア８２８の内部にデータ及び／又は命令をストアするために使用してよい。不揮発性メモリ及び／又はストレージデバイス８３２は、例えばフラッシュメモリのようなあらゆる適当な不揮発性メモリを含んでよい、及び／又は、例えば１又は複数のハードディスクドライブ（ＨＤＤ）、１又は複数のコンパクトディスク（ＣＤ）ドライブ、及び／又は１又は複数のデジタル多目的ディスク（ＤＶＤ）ドライブのようなあらゆる適当な不揮発性ストレージデバイスを含んでよい。
【００４４】
電力管理コントローラ８１８は、本明細書に開示する種々の電源管理及び／又は節電機能又はその一部のいずれかをコントロールするように構成された電力管理論理８３０を含んでよい。少なくとも１つの例示的な実施形態において、電力管理コントローラ８１８は、電子デバイスが閉状態にあるとき、下げられた電力で動作又はオフになるシステム８００のコンポーネント又はデバイスの電力消費を減らすように構成される。例えば、少なくとも１つの例示的な実施形態において、電子デバイスは閉状態にあると、電力管理コントローラ８１８は次のうちの１又は複数を実行する。電源ダウン、ディスプレイの未使用部分及び／又はそれに関連するすべてのバックライトの電源を落とす。もし、閉状態においてより少しの演算パワーを要する場合、１又は複数のプロセッサ８０４を低電力状態に移行する。電子デバイスが閉状態にあるとき使用されないすべてのデバイス及び／又はコンポーネントをシャットダウンする。
【００４５】
通信用インターフェース８１６は、１又は複数のネットワークを介して及び／又はあらゆる他の適当なデバイスを用いて通信するために、システム８００にインターフェースを提供してよい。通信用インターフェース８１６は、あらゆる適当なハードウェア及び／又はファームウェアを含んでよい。通信用インターフェース８１６は、少なくとも１つの例示的な実施形態において、例えば、ネットワークアダプタ、ワイヤレスネットワークアダプタ、電話モデム、及び／又はワイヤレスモデムを含んでよい。
【００４６】
システム制御論理８０６は、少なくとも１つの例示的な実施形態において、インターフェースを、例えばサウンドを対応するデジタル信号に変換するのを補助する及び／又はデジタル信号を対応するサウンドに変換するのを補助するオーディオデバイス、カメラ、カムコーダ、プリンタ、及び／又はスキャナのようなあらゆる適当な入力／出力デバイスに提供するために、１又は複数のＩ／Ｏコントローラを含むことができる。
【００４７】
少なくとも１つの例示的な実施形態に対して、少なくとも１つのプロセッサ８０４は、システム制御論理８０６の１又は複数のコントローラに対する論理とともにパッケージ化されてもよい。少なくとも１つの例示的な実施形態において、少なくとも１つのプロセッサ８０４は、システムインパッケージ（ＳｉＰ）を形成するためにシステム制御論理８０６の１又は複数のコントローラの論理とともにパッケージ化されてよい。少なくとも１つの例示的な実施形態において、少なくとも１つのプロセッサ８０４は、システム制御論理８０６の１又は複数のコントローラの論理と同じダイ上に組み込まれてよい。少なくとも１つの例示的な実施形態に対して、少なくとも１つのプロセッサ８０４は、システムオンチップ（ＳｏＣ）を形成するためにシステム制御論理８０６の１又は複数のコントローラの論理と同じダイ上に組み込まれてよい。
【００４８】
タッチコントロールに対して、タッチコントローラ８０２は、タッチセンサインターフェース回路８２２及びタッチ制御論理８２４を含んでよい。タッチセンサインターフェース回路８２２は、ディスプレイ（すなわち、ディスプレイ装置８１０）の第１タッチ面層及び第２タッチ面層の上でタッチ入力を検出するために連結されてよい。タッチセンサインターフェース回路８２２は、例えば、タッチ入力デバイスに使用されるタッチセンサ技術に少なくとも部分的に依存し得るあらゆる適当な回路を含んでよい。タッチセンサインターフェース回路８２２は、一実施形態において、あらゆる適当なマルチタッチ技術をサポートしてよい。タッチセンサインターフェース回路８２２は、少なくとも一実施形態において、第１タッチ面層と第２タッチ面層に対応するアナログ信号をあらゆる適当なデジタルタッチ入力データに変換するために、あらゆる適当な回路を含むことができる。少なくとも一実施形態に適当なデジタルタッチ入力データは、例えば、タッチ位置又は座標データを含んでよい。
【００４９】
タッチ制御論理８２４は、第１タッチ面層及び第２タッチ面層の上でタッチ入力を検出するあらゆる適当な方法で、タッチセンサインターフェース回路８２２を補助するために連結されてよい。少なくとも１つの例示的な実施形態のタッチ制御論理８２４は、あらゆる適当な方法で、タッチセンサインターフェース回路８２２により検出されるタッチ入力に対応するデジタルタッチ入力データを出力するために、連結してもよい。タッチ制御論理８２４は、例えば、タッチセンサインターフェース回路８２２に使用される回路に少なくとも部分的に依存し得るあらゆる適当なハードウェア、ファームウェア、及び／又はソフトウェア論理（例えば、非一時的な有形媒体）を含むあらゆる適当な論理を用いて、実装してよい。少なくとも一実施形態のタッチ制御論理８２４は、あらゆる適当なマルチタッチ技術をサポートしてよい。
【００５０】
タッチ制御論理８２４は、デジタルタッチ入力データをシステム制御論理８０６及び／又は処理のために少なくとも１つのプロセッサ８０４に出力するために連結してよい。少なくとも一実施形態の少なくとも１つのプロセッサ８０４は、タッチ制御論理８２４から出力されるデジタルタッチ入力データを処理するために、あらゆる適当なソフトウェアを実行してよい。適当なソフトウェアは、例えば、あらゆる適当なドライバソフトウェア及び／又はあらゆる適当なアプリケーションソフトウェアを含んでよい。図８に示すように、システムメモリ８０８は、適当なソフトウェア８２６及び／又は不揮発性メモリ及び／又はストレージデバイスを格納してよい。
【００５１】
なお、幾つかの実装例において、本明細書に略述した機能は、１又は複数の有形の非一時的な媒体（例えば、プロセッサ又は他の同様の装置等により実行されるデジタル信号プロセッサ（ＤＳＰ）命令、ソフトウェア（潜在的にオブジェクトコード及びソースコードを含む）において、特定用途向け集積回路（ＡＳＩＣ）に提供される組み込み論理）にエンコードされた論理と組み合わせて実装されてよい。これらの例の幾つかでは、メモリ素子は、本明細書に記載のオペレーションに使用するデータを格納することができる。これは、実行されて、本明細書に記載の機能を実行するソフトウェア、論理、コード、又はプロセッサ命令を格納できるメモリ素子を含むことができる。プロセッサは、本明細書に詳細に説明したオペレーションをなし遂げるためにデータに関連付けられたあらゆるタイプの命令を実行することができる。一例において、プロセッサは、１つの状態又はものから別の状態又はものに要素又は物（例えば、データ）を変換できる。別の例では、本明細書に略述した機能は、固定論理又はプログラマブル論理（例えば、プロセッサにより実行されるソフトウェア／コンピュータ命令）を用いて実装されてよいし、本明細書で同定された要素は、プログラマブルプロセッサ、プログラマブルデジタル論理（例えば、フィールドプログラマブルゲートアレイ（ＦＰＧＡ）、ＤＳＰ、消去可能プログラマブルリードオンリメモリ（ＥＰＲＯＭ）、電気的消去可能プログラマブルリードオンリメモリ（ＥＥＰＲＯＭ））、又はデジタル論理、ソフトウェア、コード、電子命令、又はこれらの任意の適当な組み合わせを含むことができるＡＳＩＣ、のうちの幾つかのタイプであってよい。
【００５２】
特筆必須のこととして、明細書のすべて、本明細書に略述した容積及び関係（例えば、高さ、幅、材料等）は、例示及び教授のみのために提供されている。これらのデータのそれぞれは、本開示の精神又は添付の特許請求の範囲から逸脱することなく相当に変更してよい。明細書は１つの非限定的な例にのみ適用され、それゆえに、そのようなものとして解釈すべきである。前述の説明において、例示的な実施形態が記述されている。種々の修正及び変更を、添付の特許請求の範囲から逸脱することなく、そのような実施形態に行ってよい。説明及び図面は、それゆえに、限定的な意味ではなく例示とみなされる。
【００５３】
多くの他の変化、代替、変形、変更、及び修正は当業者に確認することができ、本開示は添付の特許請求の範囲内に入るようなすべてのそのような変化、代替、変形、変更、及び修正を包含することを意図する。本明細書に添付の特許請求の範囲の解釈において、米国特許商標庁（ＵＳＰＴＯ）、さらに、この出願で発行されるすべての特許のすべての読者を支援するために、出願人は、出願人は、（ａ）用語「〜のための手段」又は「〜のめのステップ」が特定の特許請求の範囲において明確に使用されない限り、出願日に存在するため、添付の特許請求の範囲のいずれにも米国特許法（３５ＵＳＣ）第１１２条第６パラグラフ（６）を行使することを意図しないこと、また、
（ｂ）明細書内のすべての記述により、そうでなければ添付の特許請求の範囲に反映されない何らかの方法において本開示を限定することを意図しないこと、を注意することを望む。  例示的な実施形態の実装。
【００５４】
本明細書に記載の特定の実施形態は、複数のキー、及びそれぞれドームサポートを有する複数のキーアクチュエータを含むキーボードを提供する。キーアクチュエータの少なくとも一部は、複数のキーアクチュエータの一部がアクティブ化されると、複数のキーの少なくとも一部を持ち上げる。より特定の実施形態では、ドームサポートは、アクティブ化されるとキーボードに関してｚ方向に変形し、複数のキーの一部を持ち上げる誘電体を備える。
【００５５】
さらに他の実施形態では、ドームサポートは、複数のキーアクチュエータの一部がアクティブ化されないと、実質的に平らである。さらに、複数のキーアクチュエータの一部は、複数のキーの一部に少なくとも１つの触感効果を提供する。他の実装例では、複数のキーの一部は、複数のキーアクチュエータの一部がアクティブ化されないと、実質的にゼロのキー行程を有する。複数のキーの上部（すなわち、サブセット）は、複数のキーアクチュエータの一部がアクティブ化されないと、実質的にキーボードの表面と同じ高さになり得る。特定のケースでは、複数のキーアクチュエータの一部は、はさみ形状のキーサポートを含む。
【００５６】
特定の例示的な実施形態では、システムが提供され、キーボード内の複数のキーに対応する複数のキーアクチュエータをアクティブ化する手段であり、キーアクチュエータの少なくとも一部は、複数のキーアクチュエータの一部がアクティブ化されると、複数のキーの少なくとも一部を持ち上げる、手段と、複数のキーアクチュエータの一部を非アクティブ化する手段であり、複数のキーアクチュエータの一部の非アクティブ化は、複数のキーの一部を低くさせる、手段と、を備える。
【００５７】
複数の特定の実施形態において、複数のキーアクチュエータの少なくとも幾つかは、アクティブ化されると、キーボードに関してｚ方向に変形して、複数のキーの一部を持ち上げる誘電体を有するそれぞれのドームサポートを含む。更に、他の実施形態において、ドームサポートの少なくとも幾つかは、複数のキーアクチュエータの一部がアクティブ化されないと、実質的に平らである。また、複数のキーアクチュエータの一部は、複数のキーの一部に少なくとも１つの触感効果を提供することができる。特定のケースでは、複数のキーアクチュエータは、誘電体又はポリマを含むそれぞれのドームサポートを有する
【図１Ａ】
0006005111.tif 000002
【図１Ｂ】
0006005111.tif 000003
【図１Ｃ】
0006005111.tif 000004
【図１Ｄ】
0006005111.tif 000005
【図２】
0006005111.tif 000006
【図３Ａ】
0006005111.tif 000007
【図３Ｂ】
0006005111.tif 000008
【図４Ａ】
0006005111.tif 000009
【図４Ｂ】
0006005111.tif 000010
【図４Ｃ】
0006005111.tif 000011
【図４Ｄ】
0006005111.tif 000012
【図５Ａ】
0006005111.tif 000013
【図５Ｂ】
0006005111.tif 000014
【図５Ｃ】
0006005111.tif 000015
【図６】
0006005111.tif 000016
【図７】
0006005111.tif 000017
【図８】
0006005111.tif 000018